(57)【特許請求の範囲】
【請求項１】
前面が開口した箱状のボディと、ボディの開口側に結合されるカバーとにより形成されたハウジング内にスピーカを固定する構造であって、スピーカは、電気信号を機械振動に変換する変換機構が収納された円筒状のヘッド部と、ヘッド部から拡開する形状に形成されコーンを保持するフレーム部とを備え、ヘッド部を受ける半円状の受け溝が先端部に形成されるとともにボディの周壁の内側面との間でフレーム部の中央部を弾性的に挟持することができる第１の取付突片がボディの後壁の内側面に突設され、フレーム部の周部をカバーの内側面との間で弾性的に挟持することができる第２の取付突片がカバーの前壁の内側面に突設されて成ることを特徴とするスピーカの固定構造。
【請求項２】
ボディとカバーとの各周壁のうち少なくとも第１の取付突片との間でフレーム部を挟持する部位には、ボディにカバーを結合するときにボディの周壁を第１の取付突片に向かって撓ませるように傾斜した押圧面が形成されて成ることを特徴とする請求項１記載のスピーカの固定構造。
【発明の詳細な説明】
【０００１】
【発明の属する技術分野】
本発明は、ハウジング内にスピーカを固定するスピーカの固定構造に関するものである。
【０００２】
【従来の技術】
一般にドアホンシステムでは、玄関先などに配置された子器と室内に配置された親器との間で通話するから、親器や子器のハウジングにはスピーカが内蔵される。この種のスピーカをハウジングに固定する技術としては、たとえば、図１１に示すようなものがある。すなわち、通常のハウジング１は前面が開口する箱状のボディ１０とボディ１０の前面側に結合されるカバー２０とにより形成されており、スピーカ５はカバー２０の前壁の内側面に密着させる形で取り付ける場合が多い。図１１に示す例では、スピーカ５の裏面側に押さえ金具６１を配置し、押さえ金具６１の周部をカバー２０に螺合する固定ねじ６２によって固定してある。
【０００３】
また、図１２に示すように、スピーカ５の後面とボディ１０との間、およびスピーカ５の前面とカバー２０との間にそれぞれパッキン６３，６４を挟装し、ボディ１０とカバー２０とによりスピーカ５を挟み込む構成もある。
さらに、図１３に示すように、ハウジング１の側部にスピーカ５を配置するものでは、ボディ１０およびカバー２０の周壁との間にスピーカ５の周部を挿入する溝６５を形成しておき、溝６５内にパッキン６６を介してスピーカ５を挿着する構成も考えられている。
【０００４】
図１２に示す構成や図１３に示す構成では、ボディ１０とカバー２０を結合したときに、パッキン６３，６４，６６を圧縮することによってスピーカ５を固定しているのである。
【０００５】
【発明が解決しようとする課題】
上述したようなスピーカの固定構造では、押さえ金具６１と固定ねじ６２、あるいはパッキン６３，６４，６６のように、スピーカ５の固定専用に用いる部材が必要であって、部品点数が多くなるとともに、組立作業が面倒になるという問題がある。
【０００６】
本発明は上記事由に鑑みて為されたものであり、その目的は、他部材を用いることなくスピーカをハウジングに固定することにより、部品点数が少なく、かつ組立作業が容易なスピーカの固定構造を提供することにある。
【０００７】
【課題を解決するための手段】
請求項１の発明では、上記目的を達成するために、前面が開口した箱状のボディと、ボディの開口側に結合されるカバーとにより形成されたハウジング内にスピーカを固定する構造であって、スピーカは、電気信号を機械振動に変換する変換機構が収納された円筒状のヘッド部と、ヘッド部から拡開する形状に形成されコーンを保持するフレーム部とを備え、ヘッド部を受ける半円状の受け溝が先端部に形成されるとともにボディの周壁の内側面との間でフレーム部の中央部を弾性的に挟持することができる第１の取付突片がボディの後壁の内側面に突設され、フレーム部の周部をカバーの内側面との間で弾性的に挟持することができる第２の取付突片がカバーの前壁の内側面に突設されているのである。
【０００８】
この構成によれば、ハウジングに一体に設けた取付突片の弾性を利用してスピーカのフレーム部の中央部と周部とをボディとカバーとでそれぞれ保持することができるから、他の部材が不要であって部品点数が少なく、かつスピーカをボディとカバーとの所定箇所に挿入するだけでスピーカを固定することができるから組立作業が容易になる。
【０００９】
請求項２の発明では、請求項１の発明において、ボディとカバーとの各周壁のうち少なくとも第１の取付突片との間でフレーム部を挟持する部位には、ボディにカバーを結合するときにボディの周壁を第１の取付突片に向かって撓ませるように傾斜した押圧面が形成されて成ることを特徴とする。
この構成では、ボディとカバーとを結合したときに、ボディの周壁がスピーカに押しつけられるから、スピーカを一層強固に保持することができるのであり、またスピーカを弾性的に保持することによってボディの周壁や取付突片がスピーカに密着し、いわゆるびびり音の発生を防止することができる。
【００１０】
【発明の実施の形態】
図１ないし図１０に本発明の実施形態を示す。本実施形態では図１０に示すようなドアホンシステムの親器Ｘにおけるスピーカの固定構造を例示する。ただし、以下の実施形態は、本発明の適用を制限するものではなく、本発明の技術思想はスピーカをハウジングに内蔵する電機機器であれば適用可能である。
【００１１】
ドアホンシステムは、親器Ｘに信号線Ｌｓを介して子器Ｙを接続することにより構成され、親器Ｘには電源線Ｌｐを介して商用電源が供給されている。子器ＹにはＴＶカメラＹａおよび通話用のマイクロホンＹｂやスピーカＹｃが内蔵され、親器Ｘから信号線Ｌｓを介して電源が供給されている。ここに、親器Ｘと子器Ｙとの間では、音声信号と映像信号とを伝送し電源を供給する必要があるから、音声信号および映像信号は異なる周波数帯域を占めるように変調される。この種の技術は周知のものであって、２線式の信号線Ｌｓを用いて音声信号と映像信号とを伝送するとともに電源を供給することができるのである。
【００１２】
親器Ｘのハウジング１は、ともに合成樹脂成形品である前面（図１の左面）が開口した箱状のボディ１０および後面が開口した箱状のカバー２０からなり、ボディ１０とカバー２０とはボディ１０の後面からボス１０ａに挿通されカバー２０の内側面に突設されたボス２０ａに螺合する組立ねじ１９によって結合される。カバー２０の上部には矩形状の表示窓２１が開口し、カバー２０の前面における表示窓２１の周部には他の部分から凹んだフィルタ取付凹所２１ａが形成される。フィルタ取付凹所２１ａの両側部にはフィルタ２９の両側部に設けた突起を係合させる係着孔２１ｂが形成されている。このフィルタ２９は後述する偏平ブラウン管３の画面への映り込みを抑制するとともに偏平ブラウン管３を保護する機能を有する。
【００１３】
ハウジング１内には、従来の技術として説明した表示器としての偏平ブラウン管３と、偏平ブラウン管３の駆動回路や音声通話のための通話回路などを含む電子回路を実装したプリント基板よりなる回路基板２ａ，２ｂ，２ｃとが納装される。回路基板２ａは主として回路部分（電源回路、偏平ブラウン管３の駆動回路、通話回路）が実装され、ボディ１０の後壁の内側面のほぼ全面に沿うように配置される。また、回路基板２ｂは主として子器ＹのＴＶカメラで撮像した画像を偏平ブラウン管３に表示するための映像回路が実装され、ボディ１０の左側の周壁に沿うように配置される。さらに、回路基板２ｃは主としてスイッチ４ａ，４ｂが実装され、カバー２０の前壁の内側面の一部に沿うように配置される。
【００１４】
回路基板２ａは、ボディ１０の後壁の内側面において組立ねじの挿入位置に突設されたボス１０ａの先端部に形成されている段部１１ｂに載置されることによってボディ１０の後壁との距離が保たれる。また、ボディ１０の後壁の内側面の下部（図１における下部）に突設された取付フック１１に回路基板２ａの下端縁が係止されるともに、ボディ１０の後壁の内側面の上部に突設された固定突起１２が回路基板２ａの上部に形成された固定用切欠３１に挿通されかつ固定突起１２の下面の中間部に形成した係止爪１２ａが固定用切欠３１の周縁に係止されることによって、回路基板２ａのボディ１０の後壁からの浮き上がりが防止されている。つまり、回路基板２ａはボス１０ａと取付フック１１および固定突起１２とによりボディ１０の後壁に一定の距離を保った状態で固定される。
【００１５】
また、回路基板２ａはボス１０ａに係合することによって左右方向の位置固定がなされるとともに、取付フック１１と固定突起１２との間で回路基板２ａの一部を挟んでいることによって上下方向の位置固定がなされる。ここにおいて、固定突起１２は取付フック１１からの係止爪１２ａの距離が可変となるように可撓性を有し、回路基板２ａに形成した固定用切欠３１は係止爪１２ａが回路基板２ａとの係合状態を解除する程度に撓むことができる幅に形成されている。つまり、固定用切欠３１の上下方向の幅は、固定突起１２における係止爪１２ａの先端を含む部位の上下方向の幅よりも大きく設定される。また、固定突起１２の先端側の下面の一部は先端部から基部に向かって上面との距離を広げるように傾斜し、傾斜部位の下端に形成された段差が係止爪１２ａとして機能する。したがって、回路基板２ａの下端縁を取付フック１１に係止した後に、固定用切欠３１に固定突起１２を挿通して回路基板２ａをボディ１０の後壁に押しつけるようにすれば、回路基板２ａを取付フック１１と固定突起１２とによってボディ１０に固定することができる。
【００１６】
回路基板２ｂは、ボディ１０の左側の側壁に設けた保持リブ１３ａと、保持リブ１３ａに離間してボディ１０の後壁に突設された保持リブ１３ｂとの間に挟持されることによってボディ１０に固定される。
回路基板２ｃは、カバー２０の前壁の内側面に形成されたストッパ片２２ａの先端部に設けた受部２２ｄに周部が係止されるとともに、カバー２０の内側面に形成したボス２３に回路基板２ｃを通して螺合するタッピンねじ（図示せず）を用いることによりカバー２０に固定される。受部２２ｄは断面Ｌ字状に形成され横片とストッパ片２２ａとの間で回路基板２ｃの一部を係止する。回路基板２ｃにはモニタ起動用のスイッチ４ａと、通話の開始と終了とを指示するスイッチ４ｂと、通話中であることを表示する表示ランプ（図示せず）とが実装されている。スイッチ４ａの操作釦４ｃはハウジング１の前面右側に露出し、操作釦４ｃが押操作されるたびに子器ＹのＴＶカメラにより撮像された画像が偏平ブラウン管３の画面に表示する状態と表示しない状態とを選択する。また、スイッチ４ｂの操作部となるスイッチハンドル２４はハウジング１の前面の下部に配置され、スイッチハンドル２４が押操作されるたびに通話状態と非通話状態とが選択される。また、上述した表示ランプはスイッチハンドル２４の裏面側に配置され、通話中には表示ランプが点灯してスイッチハンドル２４の一部に透光部として形成された表示マーク２４ａを照光するようになっている。
【００１７】
スイッチハンドル２４はカバー２０の前面下部に形成されたハンドル窓２５に挿着されており、カバー２０の前壁の後面にはハンドル窓２５の周縁の要所からストッパ片２２ａ〜２２ｃが延設されている。ハンドル窓２５の上部側に延設されているストッパ片２２ａ，２２ｂはスイッチハンドル２４の枢支部を位置決めする機能を有し、ハンドル窓２５の下部側に延設されているストッパ片２２ａ，２２ｃはスイッチハンドル２４の押し込み量を規制する機能を有する。ここに、ストッパ片２２ａは、上述した受部２２ｄを設けるためにハンドル窓２５の上部から下部に跨がって連続するように形成されている。スイッチハンドル２４の上縁には後面側に凸となるように湾曲した一対のばね片２４ｂが形成され、各ばね片２４ｂに隣接して止め片２４ｃが形成される。しかして、ばね片２４ｂと止め片２４ｃとの間にストッパ片２２ａ，２２ｂの一部を位置させることによって、スイッチハンドル２４が左右にがたつかないように位置規制するとともに、ばね片２４ｂの先端部をカバー２０の前壁の後面に当接させることによって、スイッチハンドル２４の下部を前方に付勢することができる。スイッチハンドル２４の下部後面には、スイッチハンドル２４の前方への移動を規制するために、ハンドル窓２５の下縁に係止される抜止片２４ｄが形成される。
【００１８】
ところで、子器Ｙで撮像された映像を表示するためにハウジング１には表示器としての偏平ブラウン管３が納装されている。偏平ブラウン管３のバルブは、電子銃を納装したネック部３ａと、電子銃からの電子の放射方向（つまりネック部３ａの軸方向）に沿った画面を有するフェイス部３ｂとを備える。ここに、フェイス部３ｂは前壁が平板状であり、後壁がネック部３ａから離れるに従って前壁に近づくように湾曲した形状に形成され、後壁の内側面に蛍光物質が塗布されている。また、ネック部３ａはフェイス部３ｂの一部から突出する形に設けられている。
【００１９】
偏平ブラウン管３は以下の構成によってハウジング１内の定位置に固定される。すなわち、上述した固定突起１２は偏平ブラウン管３のフェイス部３ｂの各側面と後面とに跨がる部位で一対突設されており、各固定突起１２の先端部にはそれぞれ偏平ブラウン管３の各側面から後面に跨がる部位の形状に合致した保持切欠１２ｂが形成されている。また、ボディ１０の後壁の他の部位にはフェイス部３ｂの各側面から裏面に跨がる部位で一対の保持突起１４が突設され、保持突起１４の先端部には、固定突起１２と同様に、フェイス部３ｂの各側面から裏面に跨がる部位の形状に合致する形状の保持切欠１４ａが形成されている。したがって、固定突起１２および保持突起１４により、偏平ブラウン管３は左右方向に移動しないように位置決めされる。
【００２０】
さらに、ボディ１０の後壁には、フェイス部３ｂにおけるネック部３ａ側の周面（つまりフェイス部３ｂの下面）にネック部３ａの両側で当接する一対の位置決め突起１５が突設されている。また、ボディ１０の後壁には、フェイス部３ｂの裏面の上部に当接可能な一対の支持突起１６も突設されている。したがって、位置決め突起１５および支持突起１６により偏平ブラウン管３の上下方向への移動が防止される。
【００２１】
加えて、カバー２０の前壁の内側面にもフェイス部３ｂの周囲を囲むように複数箇所に保持リブ２６が突設され、フェイス部３ｂが一層確実に移動規制されるようになっている。また、フェイス部３ｂの前面にはカバー２０の前壁の内側面が当接し固定突起１２や保持突起１４との間でフェイス部３ｂを挟持することにより、偏平ブラウン管３の前後方向の移動が規制される。
【００２２】
ところで、子器Ｙとの通話のためにハウジング１にはマイクロホン（図示せず）およびスピーカ５も納装されている。マイクロホンは、ハウジング１の上下方向の中間部の左側部に配置され、カバー２０の前壁の内側面に突設された円筒状の保持筒２８に圧入されるとともに、ボディ１０の後壁の内側面に突設された抜止リブ１７の先端がマイクロホンの後面に当接することによってハウジング１内に保持される。また、カバー２０の前壁において保持筒２８に囲まれた部位にはマイクロホンに音波を入射させるための透孔２８ａが形成されている。
【００２３】
一方、スピーカ５には一般的なダイナミック形コーンスピーカを用いており、電磁石を用いて電気信号を機械振動に変換する変換機構を納装した円筒状のヘッド部５ａと、ヘッド部５ａから拡開する形状に形成されコーンを保持するフレーム部５ｂとを備える。ここに、ヘッド部５ａおよびフレーム部５ｂは金属により形成される。このスピーカ５はハウジング１の下部内に納装されるのであって、ハウジング１の下壁にはスピーカ５からの音をハウジング１の外部に取り出すために多数個の音出孔１８が穿孔されている。
【００２４】
ところで、ボディ１０の後壁には下壁との間にスピーカ５のフレーム部５ｂを挟持することができる取付突片３２が突設されている。この取付突片３２の先端部にはヘッド部５ａを受ける半円状の受け溝３２ａが形成されている。さらに、取付突片３２の一側部にはボディ１０の下壁に向かって突出する押片３２ｂが突設されている。取付突片３２は可撓性を有し、押片３２ｂとボディ１０の下壁との距離はスピーカ５のフレーム部５ｂの中央部の厚み寸法よりも若干小さく設定されている。したがって、スピーカ５のフレーム部５ｂが取付突片３２とボディ１０の下壁との間で弾性的に挟持されることによりスピーカ５はボディ１０に固定されるのである。
【００２５】
さらに、カバー２０の前壁には下壁との間にスピーカ５のフレーム部５ｂの周部を挟持することができる取付突片３３が突設されている。この取付突片３３も可撓性を有し、カバー２０の下壁と取付突片３３との距離はスピーカ５のフレーム部５ｂの周部の厚み寸法よりも若干小さく設定されている。したがって、スピーカ５のフレーム部５ｂの周部が取付突片３３とカバー２０の下壁との間で弾性的に挟持されることによりスピーカ５がカバー２０に固定されるのである。
【００２６】
加えて、ボディ１０の周壁の先端縁にはボディ１０にカバー２０を結合する際にボディ１０の周壁を取付突片３２に向かって撓ませることができるように傾斜した押圧面３４が形成されている。したがって、ボディ１０にカバー２０を結合すれば、ボディ１０の周壁が取付突片３２との距離を縮める向きに撓むことによって、スピーカ５のフレーム部５ｂが一層強固に固定され、結果的にスピーカ５とハウジング１とを密着させることができる。ここに、スピーカ５がハウジング１に密着していないときには、いわゆるびびり音が発生するが、上述のようにスピーカ５がハウジング１に密着していることにより、びびり音の発生が防止される。スピーカ５をハウジング１に固定する構造の要部を図９に示す。
【００２７】
以上説明したように、ボディ１０とカバー２０とに一体に形成されている部材を用いてスピーカ５を固定しているから、スピーカ５の固定に際して別部材を用いる必要がなく、しかも防振用の部材を別途に用いることなくびびり音の発生を防止することができるから、結果的にスピーカ５の取付に際して別途の部品を用いる必要がなく、部品点数が少ないとともに組立作業が容易になるのである。
【００２８】
ところで、ハウジング１の下面には偏平ブラウン管３の明るさを調節するためのスライドスイッチ４１ａを操作するつまみ４１ｂと、音量調整用のスライドスイッチ４２ａを操作するつまみ４２ｂとが露出する。
また、ハウジング１の後面側には電源線を接続するための端子ブロック４３および子器Ｙや外部スピーカを接続するための端子台４４が配置される。端子ブロック４３はボディ１０の後壁に形成した角筒状の端子保持筒４５に挿着される。端子保持筒４５は、ボディ１０の後面側に一部が突出するとともに、突出部位の一側面に切欠４５ａを有する。端子保持筒４５の後部の内側には端子ブロック４３の後方への移動を規制する段差部４５ｂが形成され、また端子保持筒４５の前端縁には前方に突出するとともに端子ブロック４３の前方への移動を規制する係止フック４５ｃが突設されている。ここに端子ブロック４５は、鎖錠ばねのばね力を利用して電線を保持する速結端子をケースに納装したものであって、段差部４５ｂと係止フック４５ｃとにより位置決めした形で端子保持筒４５に挿着される。この状態で、ケースに設けた電線挿入孔４３ａが切欠４５ａから露出する。つまり、電源線はボディ１０の後面に沿って配線されることになる。ボディ１０の後面には凹陥部４６が形成されており、端子保持筒４５の後端はボディ１０の後面のうち凹陥部４６の形成されていない部分の後面とほぼ一致する。また、凹陥部４６内にはＬ字状の張力止め４７が突設され、端子ブロック４３と電源線との接続部位への張力の作用を抑制できるようにしてある。
【００２９】
ハウジング１を壁面などの取付面に取り付けるには取付金具５０を用いる。取付金具５０は両側縁に各一対の引掛片５１を突設した形状に形成され、壁面に直付けする際に用いる木ねじを挿通する取付孔５２や、埋込型の配線器具などの施工時に用いるスイッチボックスに固定するためのねじを挿通する取付孔５３や、壁パネルのような板材に穿孔した施工孔の周部を取付金具５０との間で挟持するための挟み金具を取り付ける金具取付孔５４などが設けられる。取付金具５０の引掛片５１は、取付金具５０に対してハウジング１を相対的にスライドさせることで凹陥部４６の側壁に形成された引掛片４８に係合するのであって、取付金具５０を壁面などに固定しておけば、取付金具５０を用いてハウジング１を施工面に固定することができる。
【００３０】
【発明の効果】
請求項１の発明は、一面が開口した箱状のボディと、ボディの開口側に結合されるカバーとにより形成されたハウジング内にスピーカを固定する構造であって、スピーカは、電気信号を機械振動に変換する変換機構が収納された円筒状のヘッド部と、ヘッド部から拡開する形状に形成されコーンを保持するフレーム部とを備え、ヘッド部を受ける半円状の受け溝が先端部に形成されるとともにボディの周壁の内側面との間でフレーム部の中央部を弾性的に挟持することができる第１の取付突片がボディの後壁の内側面に突設され、フレーム部の周部をカバーの内側面との間で弾性的に挟持することができる第２の取付突片がカバーの前壁の内側面に突設されているものであり、ハウジングに一体に設けた取付突片の弾性を利用してスピーカのフレーム部の中央部と周部とをボディとカバーとでそれぞれ保持することができるから、他の部材が不要であって部品点数が少ないという利点があり、かつスピーカをボディとカバーとの所定箇所に挿入するだけでスピーカを固定することができるから組立作業が容易になるという利点がある。
【００３１】
請求項２の発明では、ボディとカバーとの各周壁のうち少なくとも第１の取付突片との間でフレーム部を挟持する部位には、ボディにカバーを結合するときにボディの周壁を第１の取付突片に向かって撓ませるように傾斜した押圧面が形成されているのであって、ボディとカバーとを結合したときに、ボディの周壁がスピーカに押しつけられるから、スピーカを一層強固に保持することができるのであり、またスピーカを弾性的に保持することによってボディの周壁や取付突片がスピーカに密着し、いわゆるびびり音の発生を防止することができるという利点がある。
【図面の簡単な説明】
【図１】実施形態の縦断面図である。
【図２】実施形態の正面図である。
【図３】実施形態の背面図である。
【図４】実施形態の一部破断した下面図である。
【図５】実施形態のカバーを外した状態の正面図である。
【図６】実施形態に用いるカバーの背面図である。
【図７】実施形態の断面図である。
【図８】実施形態の断面図である。
【図９】実施形態の要部を示し、（ａ）は縦断面図、（ｂ）は横断面図である。
【図１０】実施形態をドアホンシステムに用いた構成例を示す図である。
【図１１】従来例を示す断面図である。
【図１２】従来例を示す断面図である。
【図１３】従来例を示す断面図である。
【符号の説明】
１  ハウジング
５  スピーカ
５ａ  ヘッド部
５ｂ  フレーム部
１０  ボディ
２０  カバー
３２  取付突片
３２ａ  受け溝
３３  取付突片
３４  押圧面
【図１】
0003584581.tif 000002
【図２】
0003584581.tif 000003
【図３】
0003584581.tif 000004
【図４】
0003584581.tif 000005
【図５】
0003584581.tif 000006
【図６】
0003584581.tif 000007
【図７】
0003584581.tif 000008
【図８】
0003584581.tif 000009
【図９】
0003584581.tif 000010
【図１０】
0003584581.tif 000011
【図１１】
0003584581.tif 000012
【図１２】
0003584581.tif 000013
【図１３】
0003584581.tif 000014